(57)【要約】【課題】安全着火器の提供。【解決手段】本発明は一種の安全着火器に関わるものである。主にトレーに自在スリーブを挿入し、両者の間に撃ち金バネ、戻りバネと撃ち金を設け、トレーに撃ち金と遠隔場所から向かい合う引き金を設け、自在スリーブと撃ち金は撃ち金バネ、戻りバネにより、引き金上部に吊るして、一つの行程を構成する。自在スリーブ圧下行程の末端部に当て駒を設け、該当て駒の弾性係数は撃ち金バネ、戻りバネより大きく設け、力量を加わることにより、当て駒を変形させ、撃ち金を引き金に撃つ、火花または高圧電気を発生し、ガスを着火する。該当て駒により、二段式の確認機構を構成し、安全操作のほか、生産コストの軽減を実現する着火制御方法を提供する。【選択図】図２
2007333350.tif 000002
【特許請求の範囲】
【請求項１】
着火器は主にトレーに自在スリーブを挿入し、バネにより、自在スリーブと撃ち金を吊るし、トレーに撃ち金と遠隔場所から向かい合う引き金を設けることにより、一つの行程を形成し、
弾性係数がバネより大きい当て駒を設け、当て駒は自在スリーブを行程の末端部に着火する前の障害を構成し、引き続きに力量を加えて、当て駒を変形させ、撃ち金を引き金に接触することにより、ガスを着火し、なお、該当て駒により、小さい力量から大きい力量に切り換える制御により、二段式安全操作の操作機構を構成する、一種の安全着火器。
【請求項２】
該着火器はライターの受け台に設け、該受け台はさらにガスノズルを設け、自在スリーブの上部に圧下する撃ち金キャップを設け、撃ち金キャップを圧下した後、ガスノズルを解放し、着火器の炎ノズルを照準し着火することを特徴とする請求項１記載の安全着火器。
【請求項３】
当て駒は撃ち金キャップと自在スリーブとの間に設けることにより、当て駒は自在スリーブを行程の末端部圧下し、着火する前の障害を形成することを特徴とする請求項２記載の安全着火器。
【請求項４】
当て駒は受け台の肩部に設けることにより、当て駒は撃ち金キャップを行程の末端部圧下し、着火する前の障害を形成することを特徴とする請求項２記載の安全着火器。
【請求項５】
トレーの上半部に固定スリーブを設け、該固定スリーブは上下摺動に制限される自在スリーブを設け、固定スリーブ、自在スリーブの間に撃ち金バネ、戻りバネおよび撃ち金を設けるほか、固定スリーブ内部の底面に撃ち金と遠隔場所から向かい合う引き金を設け、自在スリーブと撃ち金は、撃ち金バネ、戻りバネにより引き金の上部に吊るすことにより、一つの行程を形成し、
トレーは固定スリーブの頂点に自在スリーブを貫通させる当て駒を設け、自在スリーブ頂点において、キャップ縁と当て駒と対称に設け、自在スリーブを圧下した後、自在スリーブのキャップ縁を連動し下方に移動して、当て駒は自在スリーブのキャップ縁と撃ち金を圧下し、着火する前の障害とすることを特徴とする請求項１または請求項２記載の安全着火器。
【請求項６】
自在スリーブはトレーの外周部に挿入した後、トレーの底部に当て駒を挿入し、自在スリーブは圧下により下部へ移動したとき、当て駒は自在スリーブの底面が行程の末端部に圧下し、着火する前の障害となることを特徴とする請求項１記載の安全着火器。
【請求項７】
自在スリーブを下部に移動するとき、撃ち金はバネの設定弾力を克服して、横方向にずれ込み、撃ち金バネの弾力が臨界点に蓄積する同時に、当て駒は自在スリーブのキャップ縁が行程の末端部に圧下し、着火する前の障害となることを特徴とする請求項１記載の安全着火器。
【発明の詳細な説明】
【技術分野】
【０００１】
本発明は一種の安全着火器に関わるものである。主に小さい力量から大きい力量に変わる制御方法により、二段式操作の着火モードを実現するほか、二重保障の相乗効果を提供し、経済的な特徴を有する。
【背景技術】
【０００２】
現在、良く見受ける着火器はライター、ガスガン、ガスコンロなどの媒介気体を燃料とする器具に使用し、必要に応じてガスの着火要求に応える。
【０００３】
しかしながら、これらの器具に備える着火器の操作は非常に便利のため、ボタンを圧下することにより、ガスを着火できる。子供やまたは知能障害の方も簡単に操作できる。一方、不慮な事故を引き起こしている。よって、日本とアメリカ合衆国は相継いで１９９６年に法規定を回収し、この種のライター(ライターは廉価なため、どなたも手軽く入手できる)は安全が保障されたもとで販売を許可する。すなわち、安全装置を取り付けなければならない。一方、台湾政府も日本とアメリカ合衆国の後に、この種のライターに規制を加えた。
【０００４】
具体的に、本発明者がかつて特許を取得した、特許文献１、Ｌ型二段締結式安全ライター、特許文献２、圧下式ライター、特許文献３、ライター安全制御装置、特許文献４、着火ガン二段式切り換え機構、特許文献５、ライター安全制御機構、特許文献６、圧下式ライター安全スイッチのすべては、ライターまたは着火ガンの撃ち金キャップに第２スイッチを設け、該第２スイッチの開閉により撃ち金の閉鎖と解放を制御する。しかしながら、この種の二段式制御モードはライターまたは着火ガンのケースと撃ち金キャップの構造を完全に変更が前提のため、金型および関連の組み立て費用が大幅に増加し、非経済的であった。よって、本発明者は鋭意に研究および改良を繰り返し、ならびにこの分野における長年の経験により、本発明による一種の経済性が豊富で、各種ブランドのライター、着火ガンまたはガスコンロなどの着火制御に応用できるほか、ライター、着火ガンまたはガスコンロ既存のスイッチ機構を変更必要がない。経済性と安全性を兼ねた製品を実現できる。
【０００５】
【特許文献１】米国特許第６６１２８３２号明細書
【特許文献２】米国特許第６５５１０９７号明細書
【特許文献３】米国特許第６２３１３３５号明細書
【特許文献４】米国特許第６４１９４７９号明細書
【特許文献５】米国特許第５８３９８９２号明細書
【特許文献６】米国特許第６６４１３８９号明細書
【発明の開示】
【発明が解決しようとする課題】
【０００６】
一種の各種ブランドのライター、着火ガンまたはガスコンロ幅広く応用できる一種の安全着火器の提供を本発明の主な目的とする。
【０００７】
主に着火器に備える自在スリーブの圧下行程の末端部に当て駒を設け、該当て駒の弾性係数は撃ち金バネ、戻りバネより大きく設け、自在スリーブは撃ち金バネ、戻りバネの設定弾力を克服した後、引き続きに圧下するとき、新たに力量を加えて、当て駒を変形させることにより、撃ち金が引き金に撃ち、火花または高圧電気を形成する方法により、ガスを着火させる。さらに、該当て駒により小さい力量から大きい力量に変更する制御方式により、二段式安全操作の機構を構成し、既存のライター、着火ガンまたはガスコンロの構造を変更することなく、幅広く実施できるため、安全着火の制御に対して、有効、かつ、経済性を有する新しい技術。
【課題を解決するための手段】
【０００８】
請求項１の発明は、着火器は主にトレーに自在スリーブを挿入し、バネにより、自在スリーブと撃ち金を吊るし、トレーに撃ち金と遠隔場所から向かい合う引き金を設けることにより、一つの行程を形成し、
弾性係数がバネより大きい当て駒を設け、当て駒は自在スリーブを行程の末端部に着火する前の障害を構成し、引き続きに力量を加えて、当て駒を変形させ、撃ち金を引き金に接触することにより、ガスを着火し、なお、該当て駒により、小さい力量から大きい力量に切り換える制御により、二段式安全操作の操作機構を構成する、一種の安全着火器としている。
請求項２の発明は、該着火器はライターの受け台に設け、該受け台はさらにガスノズルを設け、自在スリーブの上部に圧下する撃ち金キャップを設け、撃ち金キャップを圧下した後、ガスノズルを解放し、着火器の炎ノズルを照準し着火することを特徴とする請求項１記載の安全着火器としている。
請求項３の発明は、当て駒は撃ち金キャップと自在スリーブとの間に設けることにより、当て駒は自在スリーブを行程の末端部圧下し、着火する前の障害を形成することを特徴とする請求項２記載の安全着火器としている。
請求項４の発明は、当て駒は受け台の肩部に設けることにより、当て駒は撃ち金キャップを行程の末端部圧下し、着火する前の障害を形成することを特徴とする請求項２記載の安全着火器としている。
請求項５の発明は、トレーの上半部に固定スリーブを設け、該固定スリーブは上下摺動に制限される自在スリーブを設け、固定スリーブ、自在スリーブの間に撃ち金バネ、戻りバネおよび撃ち金を設けるほか、固定スリーブ内部の底面に撃ち金と遠隔場所から向かい合う引き金を設け、自在スリーブと撃ち金は、撃ち金バネ、戻りバネにより引き金の上部に吊るすことにより、一つの行程を形成し、
トレーは固定スリーブの頂点に自在スリーブを貫通させる当て駒を設け、自在スリーブ頂点において、キャップ縁と当て駒と対称に設け、自在スリーブを圧下した後、自在スリーブのキャップ縁を連動し下方に移動して、当て駒は自在スリーブのキャップ縁と撃ち金を圧下し、着火する前の障害とすることを特徴とする請求項１または請求項２記載の安全着火器としている。
請求項６の発明は、自在スリーブはトレーの外周部に挿入した後、トレーの底部に当て駒を挿入し、自在スリーブは圧下により下部へ移動したとき、当て駒は自在スリーブの底面が行程の末端部に圧下し、着火する前の障害となることを特徴とする請求項１記載の安全着火器としている。
請求項７の発明は、自在スリーブを下部に移動するとき、撃ち金はバネの設定弾力を克服して、横方向にずれ込み、撃ち金バネの弾力が臨界点に蓄積する同時に、当て駒は自在スリーブのキャップ縁が行程の末端部に圧下し、着火する前の障害となることを特徴とする請求項１記載の安全着火器としている。
【発明の効果】
【０００９】
本発明は安全着火器、既存のライター、着火ガンまたはガスコンロの機構に、本発明による着火器を設けることにより、二段式安全操作の特徴を実現できる。本発明による着火器の最も大きいな特徴として、既存のライター、着火ガンまたはガスコンロの外観と撃ち金キャップ構造を変更必要がない。金型および組み立て費用を大幅に軽減できる。
【発明を実施するための最良の形態】
【００１０】
図１、２に示すものは、本発明によるライターの実施例である。該ライターは主に、ガスタンク１を設け、その頂点に受け台１１を設け、該受け台１１片側の上部にガスノズルを突き出して設け、他端は着火器２を縦に設ける。受け台１１はさらに、着火器２の上部に圧下可能な撃ち金キャップ１２を設ける。撃ち金キャップ１２を圧下した後、ガスノズルと着火器２を同時に開放し、着火器２の炎ノズル２１よりガスノズルに着火する。
【００１１】
図３〜図７を参照する。着火器２はトレー２２の固定スリーブ２２０に移動制限可能な自在スリーブ２３を設け、トレー２２は受け台１１の底部に設けて、自在スリーブ２３の頂点を撃ち金キャップ１２に支えて固定する。固定スリーブ２２０、自在スリーブ２３の間に撃ち金バネ２４、戻りバネ２４０および撃ち金２５を設け、固定スリーブ２２０内部の底面に該撃ち２５と遠隔場所から向かい合う引き金２６を設ける。自在スリーブ２３と撃ち金２５は撃ち金バネ２４により、戻りバネ２４０を引き金２６上部に吊るし、一つの行程Ｘを設け、撃ち金キャップ１２を上死点に固定しておく、撃ち金キャップ１２を圧下するとき、自在スリーブ２３のキャップ縁２３０を連動し下部に移動する。図６に示すとおり、撃ち金２５を横方向に傾けて、撃ち金バネ２４の弾力を蓄積した上、撃ち金２５を行程Ｘの末端に該弾力を一瞬に解放し、撃ち金２５を引き金２６へ確実に撃って着火させる。
【００１２】
本発明による特徴は、トレー２２を固定スリーブ２２０の頂点に自在スリーブ２３を通す当て駒３を設け、該当て駒３の弾性係数は撃ち金バネ２４、戻りバネ２４０より大きく設けて、自在スリーブ２３の頂点は引き金２３０と当て駒３を対称して設け、撃ち金キャップ１２を圧下するとき、自在スリーブ２３のキャップ縁２３０を連動し下部に移動する。図６と図７に示すとおり、撃ち金２５は撃ち金バネ２４の弾力を臨界点に蓄積すると同時に、当て駒３は自在スリーブ２３のキャップ縁２３０の圧下行程Ｘ末端部において、着火前の係止めを形成する。利用者は引き続きに力量を加えることにより、当て駒３を変形させ、撃ち金バネ２４の弾力を一瞬に解放し、撃ち金２５を引き金２６に撃って、火花または高圧電気を形成し、炎ノズル２１にてガスノズルを着火させる。さらに、該当て駒３は、小さい力量から大きい力量に切り換える制御により、二段式安全操作の構造を構成する。つまり、力量を加えるときに当て駒３の阻止によって、撃ち金キャップ１２を離したとき、着火ができなくなる。この種の機構はライター、着火ガンまたはガスコンロの器具の安全使用を実現するほか、既存のライター、着火ガンまたはガスコンロの構造を変更することなく、本発明による着火器に交換することにより、ライター、着火ガンまたはガスコンロなど幅広く応用できる。実施上の安全のほか、現在市販中の安全着火制御に経済性を与える斬新な技術である。
【００１３】
図８に示すものは、本発明による実施例２である。この実施例において、自在スリーブ２３はトレー２２の外周部に摺動する。両者の内部構造は図４に同様。主にトレー２２の底部に当て駒３を設け、自在スリーブ２３は圧下により下部へ移動するとき、当て駒３は自在スリーブ２３の底部が圧下行程Ｘ末端部の着火前の障害となり、図４と同様な機能を実現する。
【００１４】
図９に示すものは、本発明による図８の構造であり、着火ガンによる実施態様である。
【００１５】
図１０と図１１に示すものは本発明による実施例４である。本実施例において、当て駒３は撃ち金キャップ１２と自在スリーブ２３との間に設ける。つまり、自在スリーブ２３は圧下行程Ｘの末端部に着火する前、高弾力の当て駒３の障害を受ける。この点は本発明の特徴である。なお、該当て駒３の取付場所は、必要に応じて、任意に変更できる。一例として、図１２に示すとおり、当て駒３を受け台１１の肩部に設けて、撃ち金キャップ１２が下部へ移動し着火する前の障害となることも本発明の範疇である。
【００１６】
図１３に示すものは、本発明による実施例５である。本実施例において、本発明によるトレー２２、自在スリーブ２３の間に設ける着火機構は、任意に変化可能である。圧下後ガスノズルを着火させることにより、本発明による着火器２を構成する。
【００１７】
前記した説明のとおり、既存のライター、着火ガンまたはガスコンロの機構に、本発明による着火器を設けることにより、二段式安全操作の特徴を実現できる。本発明による着火器の最も大きいな特徴として、既存のライター、着火ガンまたはガスコンロの外観と撃ち金キャップ構造を変更必要がない。金型および組み立て費用を大幅に軽減できる。
【図面の簡単な説明】
【００１８】
【図１】本発明およびライターの分解表示図である。
【図２】本発明によるライターの組み立て表示図である。
【図３】本発明による着火器の外観表示図である。
【図４】本発明による着火器の初期状態の断面表示図である。
【図５】本発明によるライターは当て駒に制限されたときの外観表示図である。
【図６】本発明による着火器は当て駒に制限されたときの外観表示図である。
【図７】本発明による着火器の着火状態の断面表示図である。
【図８】本発明による実施例２の表示図である。
【図９】本発明による実施例３の表示図である。
【図１０】本発明による実施例４の表示図である。
【図１１】本発明による実施例４の組み立て表示図である。
【図１２】本発明による実施例５の断面表示図である。
【図１３】本発明による実施例５の断面表示図である。
【符号の説明】
【００１９】
１  ガスタンク
１１  受け台
１２  撃ち金キャップ
２  着火器
２１  炎ノズル
２２  トレー
２２０  固定スリーブ
２３  自在スリーブ
２３０  キャップ縁
２４  撃ち金バネ
２４０  戻りバネ
２５  撃ち金
２６  引き金
３  当て駒
Ｘ  行程
【図１】
2007333350.tif 000003
【図２】
2007333350.tif 000004
【図３】
2007333350.tif 000005
【図４】
2007333350.tif 000006
【図５】
2007333350.tif 000007
【図６】
2007333350.tif 000008
【図７】
2007333350.tif 000009
【図８】
2007333350.tif 000010
【図９】
2007333350.tif 000011
【図１０】
2007333350.tif 000012
【図１１】
2007333350.tif 000013
【図１２】
2007333350.tif 000014
【図１３】
2007333350.tif 000015